(57)【要約】【課題】１つのリモートコントロール装置で各室内機の吸込グリルを昇降させることができ、しかもその昇降が確実に実施されているか否かを室内機ごとにユーザに容易かつ迅速に知らせることができる空調システムを提供する。【解決手段】室内機１０２，２０２，３０２のいずれかの室内機の吸込グリル４の昇降がリモートコントロール装置１から指示されたとき、その指示の対象である室内機の風向調節ルーバ５をスイングさせる。【選択図】図５
2009063264.tif 000002
【特許請求の範囲】
【請求項１】
昇降が自在な吸込グリルとスイングが自在な風向調節ルーバを有する複数台の室内機を備えた空調システムにおいて、
前記各室内機に指示を与える１つのリモートコントロール装置と、
前記各室内機のいずれかの室内機の吸込グリルの昇降が前記リモートコントロール装置から指示されたとき、その指示の対象である室内機の風向調節ルーバをスイングさせる制御手段と、
を備えることを特徴とする空調システム。
【請求項２】
前記制御手段は、前記各室内機のいずれかの室内機の吸込グリルの昇降が前記リモートコントロール装置から指示されたとき、その指示の対象である室内機の風向調節ルーバをスイングさせそのスイングを除く他の動作を停止することを特徴とする請求項１に記載の空調システム。
【発明の詳細な説明】
【技術分野】
【０００１】
この発明は、昇降が自在な吸込グリルとスイングが自在な風向調節ルーバを有する複数台の室内機、これら室内機に指示を与えるリモートコントロール装置を備えた空調システムに関する。
【背景技術】
【０００２】
天井埋込型の空気調和機は、天井面に埋設される室内機の吸込グリルに塵埃除去用のフィルタを装着している。フィルタに多量の塵埃が付着すると、室内空気の吸込み効率が低下してしまうため、フィルタを定期的または必要に応じて清掃しなければならない。この清掃作業に際してはフィルタを吸込グリルから取外す作業が必要となり、吸込グリルが高所に存するため、ユーザにとって大変な作業となる。
【０００３】
これに対し、室内機の吸込グリルに昇降機能を持たせた空気調和機が知られている（例えば特許文献１）。この空気調和機では、吸込グリルを下降させることにより、吸込グリルからフィルタを取外す作業が容易となる。フィルタの清掃が終了した後は、吸込グリルを上昇させて元の位置に戻すことにより、通常の運転を再開することができる。
【０００４】
一方、複数台の室内機を備える天井埋込型の空調システムとして、各室内機を１つのリモートコントロール装置（いわゆるリモコン）からの指示によりグループ制御するものがある。この空調システムにおいても、各室内機の吸込グリルに昇降機能を持たせることにより、フィルタの取外し作業が容易となる。
【特許文献１】特開２００３―２１４７２９号公報
【発明の開示】
【発明が解決しようとする課題】
【０００５】
ただし、上記のように、１つのリモコンからの指示により複数の室内機をグループ制御する場合、吸込グリルを昇降するための吊紐が切れていたり吊紐の巻取り機構が故障するなどして吸込グリルが昇降しない場合には、吸込グリルの昇降対策としている室内機の確認が難しく、また、ユーザは吸込グリルが昇降しない原因がリモコン不良であるのか、室内機の故障であるのか判断を誤るおそれがある。
【０００６】
この発明は、上記の事情を考慮したもので、その目的は、１つのリモートコントロール装置で各室内機の吸込グリルを昇降させることができ、しかもその昇降が確実に実施されているか否かを室内機ごとにユーザに容易かつ迅速に知らせることができる空調システムを提供することである。
【課題を解決するための手段】
【０００７】
請求項１に係る発明の空調システムは、昇降が自在な吸込グリルとスイングが自在な風向調節ルーバを有する複数台の室内機を備えたものであって、各室内機に指示を与える１つのリモートコントロール装置と、各室内機のいずれかの室内機の吸込グリルの昇降が上記リモートコントロール装置から指示されたとき、その指示の対象である室内機の風向調節ルーバをスイングさせる制御手段と、を備える。
【発明の効果】
【０００８】
この発明の空調システムによれば、１つのリモートコントロール装置で各室内機の吸込グリルを昇降させることができ、しかもその昇降が確実に実施されているか否かを室内機ごとにユーザに容易かつ迅速に知らせることができる。
【発明を実施するための最良の形態】
【０００９】
［１］以下、この発明の第１の実施形態について図面を参照して説明する。  
図１に示すように、複数台たとえば３台の天井埋込型の空気調和機１００，２００，３００および１つのリモートコントロール装置（以下、リモコンという）４００が相互に配線接続されて、本発明の空調システムが構成されている。空気調和機１００は、１台の室外機１０１およびユニット番号“１−１”“１−２”“１−３”を有する３台の室内機１０２からなる。空気調和機２００は、１台の室外機２０１およびユニット番号“２−１”を有する１台の室内機２０２からなる。空気調和機３００は、１台の室外機３０１およびユニット番号“３−１”を有する１台の室内機３０２からなる。
【００１０】
上記リモコン４００は、空気調和機１００，２００，３００の各室内機に個別の指示を与えてその各室内機および各室外機をグループ制御するもので、図２に示すように、液晶表示部４０１、運転・停止ボタン４０２、フィルタ昇降ボタン４０３、フィルタ下降ボタン４０４、フィルタ上昇ボタン４０５、スイング風向ボタン４０６、ユニット選択ボタン４０７、運転切換ボタン４０８などを有している。ユニット選択ボタン４０７は、各室内機を操作対象として選択するためのものである。
【００１１】
そして、各室内機のうち、ユニット番号“１−１”の室内機１０２に、各室内機の吸込グリルの昇降に関わる主要な機能として、次の（１）の手段が設けられている。  
（１）各室内機のいずれかの室内機の吸込グリルの昇降がリモコン４００から指示されたとき、その指示の対象である室内機の風向調節ルーバ（後述の風向調節ルーバ５）をスイング（揺動）させるとともに、リモコン４００の液晶表示部４０１で“昇降”文字を点滅表示させる制御手段。
【００１２】
一方、各室内機の具体的な構成を図３および図４に示す。図３は室内機の内部を断面して示す図、図４は室内機の吸込グリルの下降状態を示す図である。  
天井面１の開口１ａに室内機の本体２が収容され、その開口１ａを塞ぐ状態に室内機の化粧パネル３が設けられている。化粧パネル３は、中央部に吸込口３ａを有するとともに、その吸込口３ａの周囲に４つの吹出口３ｂを有する。吸込口３ａには昇降が自在な吸込グリル４が設けられ、各吹出口３ｂにはスイング（揺動）が自在な風向調節ルーバ５が設けられている。そして、吸込グリル４の内側に塵埃除去用のフィルタ６が装着されている。
【００１３】
本体２内には、ファンモータ７Ｍを有する室内ファン７、およびこの室内ファン７を取り囲む状態に環状の室内熱交換器８が設けられている。室内ファン７が動作すると、室内空気が吸込グリル４およびフィルタ６を通して本体２内に吸込まれ、その吸込み空気が室内ファン７および室内熱交換器８を通って各吹出口３ｂに導かれる。導かれた空気は、各吹出口３ｂから、それぞれ風向調節ルーバ５を介して室内に吹出される。
【００１４】
また、吸込グリル４の四隅に４本の吊紐１０の一端がそれぞれ結合され、これら吊紐１０の他端が化粧パネル３の内側の巻取り機構（図示しない）に支持されている。この巻取り機構によって４本の吊紐１０が下方に繰り出されると、吸込グリル４が図示のように下降する。この下降した状態で、吸込グリル４に装着されているフィルタ６の清掃や交換の作業を容易に行うことができる。作業の終了後は、巻取り機構によって４本の吊紐１０が巻き上げられることにより、吸込グリル４が上昇して元の化粧パネル３の位置へ戻る。
【００１５】
つぎに、この実施形態の作用について図５のフローチャートを参照しながら説明する。  
リモコン４のユニット選択ボタン４０７がオンされると、図６に示すように液晶表示部４０１でユニット番号“１−１”が表示され、ユニット番号“１−１”の室内機１０２が操作対象として指定される。この状態で、リモコン４００のフィルタ昇降ボタン４０３がオンされ、続いてフィルタ下降ボタン４０４がオンされることにより、ユニット番号“１−１”の室内機１０２の吸込グリル４の下降が指示される。この指示により、ユニット番号“１−１”の室内機１０２の吊紐１０が下方に繰り出されて吸込グリル４が下降する。その後、リモコン４００のフィルタ上昇ボタン４０５がオンされると、ユニット番号“１−１”の室内機１０２の吸込グリル４の上昇が指示される。この指示により、ユニット番号“１−１”の室内機１０２の吊紐１０が巻き上げられて吸込グリル４が上昇する。
【００１６】
液晶表示部４０１におけるユニット番号の表示は、ユニット選択ボタン４０７がオンされるごとに“１−１”“１−２”“１−３”“２−１”“３−１”“ＡＬＬ”の順に切換わる。そして、表示されているユニット番号の室内機が操作対象として指定される。“ＡＬＬ”は、全ての室内機のユニット番号に相当する。
【００１７】
ユニット番号“１−２”の室内機１０２が操作対象として指定された状態で、リモコン４００のフィルタ昇降ボタン４０３がオンされ、続いてフィルタ下降ボタン４０４がオンされると、ユニット番号“１−２”の室内機１０２の吸込グリル４の下降が指示される。この指示により、ユニット番号“１−２”の室内機１０２の吊紐１０が下方に繰り出されて吸込グリル４が下降する。その後、リモコン４００のフィルタ上昇ボタン４０５がオンされると、ユニット番号“１−２”の室内機１０２の吸込グリル４の上昇が指示される。この指示により、吊紐１０が巻き上げられ、吸込グリル４が元の化粧パネル３の位置まで上昇する。
【００１８】
ユニット番号“ＡＬＬ”が表示されて、全ての室内機１０２，２０２，３０２が操作対象として指定された場合は、リモコン４００のフィルタ昇降ボタン４０３がオンされ、続いてフィルタ下降ボタン４０４がオンされることにより、全ての室内機１０２，２０２，３０２の吸込グリル４の下降が指示される。この指示により、全ての室内機１０２，２０２，３０２における吸込グリル４が下降する。その後、リモコン４００のフィルタ上昇ボタン４０５がオンされると、全ての室内機１０２，２０２，３０２の吸込グリル４の上昇が指示されて、全ての室内機１０２，２０２，３０２の吸込グリル４が上昇する。
【００１９】
このように、複数台の室内機１０２，２０２，３０２のいずれを操作対象とするかをリモコン４００で選択できるので、１つのリモコン４００だけで、吸込グリル４を個別にまたは一括して昇降動作させることができる。したがって、昇降動作用のリモコンを室内機ごとに設けなくてすみ、リモコンの個数が増えることによる操作性の低下を回避できる。
【００２０】
とくに、例えばユニット番号“１−１”の室内機１０２が操作対象として指定され、その室内機１０２の吸込グリル４の昇降が指示されたにもかかわらず、室内機１０２の吸込グリル４が停止したまま昇降しない場合でも、同じ室内機１０２の風向調節ルーバ５は停止することなくスイングを続け、リモコン４００では“昇降”文字が点滅表示されるので、ユーザは、吸込グリル４の停止の原因がリモコン不良でなく室内機１０２にあることを容易かつ迅速に知ることができる。
【００２１】
［２］この発明の第２の実施形態について説明する。  
各室内機のうち、ユニット番号“１−１”の室内機１０２に、吸込グリルの昇降に関わる主要な機能として、次の（１１）の手段が設けられている。  
（１１）各室内機のいずれかの室内機の吸込グリルの昇降がリモコン４００から指示されたとき、その指示の対象である室内機において風向調節ルーバ５をスイングさせそのスイングを除く他の動作を停止するとともに、リモコン４００の液晶表示部４０１で“昇降”文字を点滅表示させる制御手段。
【００２２】
他の構成は第１の実施形態と同じである。よって、その説明は省略する。
【００２３】
すなわち、第２の実施形態では、操作対象として指定された室内機において、吸込グリル４の昇降が指示された時点で、風向調節ルーバ５がスイングするとともにそのスイングを除く他の動作が停止する。同時に、リモコン４００の液晶表示部４０１で“昇降”文字が点滅表示される。スイングを除く他の動作として、例えば室内ファン７の動作がある。
【００２４】
このように、吸込グリル４の昇降動作中は室内ファン７の動作が停止することにより、吸込グリル４を下降させてフィルタ６を取り外す作業に際し、作業員やユーザの体の一部が室内ファン７に触れても、十分な安全を確保できる。  
他の作用および効果は、第１の実施形態と同じである。よって、その説明は省略する。
【００２５】
［３］なお、上記各実施形態では、複数の室内機の１つまたは全てを操作対象として選択する構成としたが、選択できる台数については１つまたは全てに限らず自由に設定できる構成としてもよい。  
その他、この発明は上記実施形態に限定されるものではなく、要旨を変えない範囲で種々変形実施可能である。
【図面の簡単な説明】
【００２６】
【図１】各実施形態の全体の構成を示すブロック図。
【図２】各実施形態におけるリモコンの要部の構成を示す図。
【図３】各実施形態における室内機の内部を断面して示す図。
【図４】各実施形態における室内機の吸込グリルの下降状態を示す図。
【図５】第１の実施形態の作用を説明するためのフローチャート。
【図６】各実施形態におけるリモコンの表示形態を示す図。
【符号の説明】
【００２７】
１…天井面、１ａ…開口、２…室内機の本体、３…化粧パネル、３ａ…吸込口、４…吸込グリル、５…風向調節ルーバ、６…フィルタ、７…室内ファン、７Ｍ…ファンモータ、１０…吊紐、１００，２００，３００…天井埋込型の空気調和機、１０２，２０２，３０２…室内機、４００…リモートコントロール装置、４０１…液晶表示部、４０３…フィルタ昇降ボタン、４０４…フィルタ上昇ボタン、４０５…フィルタ下降ボタン、４０６…スイング風向ボタン、４０７…ユニット選択ボタン、４０８…運転切換ボタン
【図１】
2009063264.tif 000003
【図２】
2009063264.tif 000004
【図３】
2009063264.tif 000005
【図４】
2009063264.tif 000006
【図５】
2009063264.tif 000007
【図６】
2009063264.tif 000008